(57)【要約】【課題】絵柄を特徴づける領域において適正な画像が得られ、適正な印刷物を得ることができる印刷物測定装置および印刷物測定装置を提供すること。【解決手段】画像データに基づいて印刷物の画像を特徴づける色である代表色とその位置とを決定する代表色決定工程と、画像データに基づいて無彩色に表現される色であるグレー制御色とその位置とを決定するグレー制御色決定工程と、基準紙の画像と実際に印刷が行われた印刷物の画像とを撮影する撮影工程と、基準紙の画像の代表色の位置における色のデータと印刷物の画像の代表色の位置における色のデータとを比較演算するとともに、基準紙の画像のグレー制御色の位置における色のデータと印刷物の画像のグレー制御色の位置における色のデータとを比較演算して、印刷機のインキ供給量を制御するための制御データを作成する演算工程とを備える。【選択図】　　　　図４
2004050609.tif 000002
【特許請求の範囲】
【請求項１】
基準紙の画像と実際に印刷が行われた印刷物の画像とを比較することにより、印刷機のインキ供給量を制御するための制御データを作成する印刷物測定方法であって、
基準紙の画像と実際に印刷が行われた印刷物の画像とを撮影する撮影工程と、
画像データに基づいて印刷物の画像を特徴づける色である代表色とその位置とを決定する代表色決定工程と、
前記基準紙の画像の前記代表色の位置における色のデータと前記印刷物の画像の前記代表色の位置における色のデータとを比較演算して、印刷機のインキ供給量を制御するための制御データを作成する演算工程と、
を備えたことを特徴とする印刷物測定方法。
【請求項２】
請求項１に記載の印刷物測定方法において、
印刷機のインキつぼにおけるインキキーに対応する区画毎に前記代表色とその位置とを決定する印刷物測定方法。
【請求項３】
請求項２に記載の印刷物測定方法において、
前記画像データは、３つの色成分を有するものであり、
前記代表色決定工程においては、前記インキキーに対応する区画毎に各画素を３つの色成分各々の階調で区分し、所定の区間に含まれる画素から代表色とその位置とを決定する印刷物測定方法。
【請求項４】
請求項３に記載の印刷物測定方法において、
前記各区画内の各画素の３つの色成分各々の階調によるヒストグラムを作成し、前記ヒストグラムの最大度数の区間に含まれる画素から代表色とその位置とを選択する印刷物測定方法。
【請求項５】
請求項３または請求項４に記載の印刷物測定方法において、
前記区間に含まれる画素が集合した面積が最も大きな位置を代表色の位置として選択する印刷物測定方法。
【請求項６】
請求項１乃至請求項５のいずれかに記載の印刷物測定方法において、
前記代表色を決定するための画像データは、製版時に使用された製版データ、あるいは、この製版データを加工した画像データ、もしくは、前記基準紙を撮影して得た画像データのいずれかである印刷物測定方法。
【請求項７】
請求項１乃至請求項６のいずれかに記載の印刷物測定方法において、
画像データに基づいてほぼ無彩色に表現される色であるグレー制御色とその位置とを決定するグレー制御色決定工程をさらに備え、
前記演算工程では、前記基準紙の画像の前記代表色の位置における色のデータと前記印刷物の画像の前記代表色の位置における色のデータとの比較演算結果にあわせて、前記基準紙の画像の前記グレー制御色の位置における色のデータと前記印刷物の画像の前記グレー制御色の位置における色のデータとの比較演算結果も使用して、印刷機のインキ供給量を制御するための制御データを作成する印刷物測定方法。
【請求項８】
請求項７に記載の印刷物測定方法において、
前記代表色が前記３つの色成分のうちのいずれかを含まない場合には、前記基準紙の画像の前記グレー制御色の位置における色のデータと前記印刷物の画像の前記グレー制御色の位置における色のデータとの比較演算結果のみを使用する印刷物測定方法。
【請求項９】
請求項７に記載の印刷物測定方法において、
前記基準紙の画像の前記代表色の位置における色のデータと前記印刷物の画像の前記代表色の位置における色のデータとの比較演算結果と、前記基準紙の画像の前記グレー制御色の位置における色のデータと前記印刷物の画像の前記グレー制御色の位置における色のデータとの比較演算結果とを選択的に使用し、または、両者の比較演算結果を所定の割合で折衷して使用してインキ供給量を制御するための制御データを作成する印刷物測定装置。
【請求項１０】
製版時に使用された製版データ、または、この製版データに基づいて作成された画像データのいずれか一方と、実際に印刷が行われた印刷物の画像を撮影して得た画像データとを比較することにより、印刷機のインキ供給量を制御するための制御データを作成する印刷物測定方法であって、
実際に印刷が行われた印刷物の画像を撮影する撮影工程と、
前記製版時に使用された製版データ、または、この製版データに基づいて作成された画像データのいずれか一方に基づいて、印刷物の画像を特徴づける色である代表色とその位置とを決定する代表色決定工程と、
前記印刷物の画像を撮影して得た画像データの前記代表色の位置における色のデータと前記代表色とを比較演算して、印刷機のインキ供給量を制御するための制御データを作成する演算工程と、
を備えたことを特徴とする印刷物測定方法。
【請求項１１】
請求項１０に記載の印刷物測定方法において、
印刷機のインキつぼにおけるインキキーに対応する区画毎に前記代表色とその位置とを決定する印刷物測定方法。
【請求項１２】
請求項１１に記載の印刷物測定方法において、
前記製版時に使用された製版データ、または、この製版データに基づいて作成された画像データは３つの色成分を有するものであり、
前記代表色決定工程においては、前記インキキーに対応する区画毎に各画素を３つの色成分各々の階調で区分し、所定の区間に含まれる画素から代表色とその位置とを決定する印刷物測定方法。
【請求項１３】
請求項１２に記載の印刷物測定方法において、
前記各区画内の各画素の３つの色成分各々の階調によるヒストグラムを作成し、前記ヒストグラムの最大度数の区間に含まれる画素から代表色とその位置とを選択する印刷物測定方法。
【請求項１４】
請求項１２または請求項１３に記載の印刷物測定方法において、
前記区間に含まれる画素が集合した面積が最も大きな位置を代表色の位置として選択する印刷物測定方法。
【請求項１５】
請求項１０乃至請求項１４のいずれかに記載の印刷物測定方法において、
前記製版時に使用された製版データ、または、この製版データに基づいて作成された画像データのいずれか一方に基づいて、ほぼ無彩色に表現される色であるグレー制御色とその位置とを決定するグレー制御色決定工程をさらに備え、
前記演算工程においては、前記印刷物の画像を撮影して得た画像データの前記代表色の位置における色のデータと前記代表色との比較演算結果にあわせて、前記印刷物の画像を撮影して得た画像データの前記グレー制御色の位置における色のデータと前記グレー制御色との比較演算結果も使用して、印刷機のインキ供給量を制御するための制御データを作成する印刷物測定方法。
【請求項１６】
請求項１５に記載の印刷物測定方法において、
前記代表色が前記３つの色成分のうちのいずれかを含まない場合には、前記印刷物の画像を撮影して得た画像データの前記グレー制御色の位置における色のデータと前記グレー制御色との比較演算結果のみを使用する印刷物測定方法。
【請求項１７】
請求項１５に記載の印刷物測定方法において、
前記印刷物の画像を撮影して得た画像データの前記代表色の位置における色のデータと前記代表色との比較演算結果と、前記印刷物の画像を撮影して得た画像データの前記グレー制御色の位置における色のデータと前記グレー制御色との比較演算結果とを選択的に使用し、または、両者の比較演算結果を所定の割合で折衷して使用してインキ供給量を制御するための制御データを作成する印刷物測定方法。
【請求項１８】
基準紙の画像と実際に印刷が行われた印刷物の画像とを比較することにより、印刷機のインキ供給量を制御するための制御データを作成する印刷物測定装置であって、
基準紙の画像と実際に印刷が行われた印刷物の画像とを撮影する撮影手段と、
画像データに基づいて印刷物の画像を特徴づける色である代表色とその位置とを決定する代表色決定手段と、
前記基準紙の画像の前記代表色の位置における色のデータと前記印刷物の画像の前記代表色の位置における色のデータとを比較演算して、印刷機のインキ供給量を制御するための制御データを作成する演算手段と、
を備えたことを特徴とする印刷物測定装置。
【請求項１９】
請求項１８に記載の印刷物測定装置において、
印刷機のインキつぼにおけるインキキーに対応する区画毎に前記代表色とその位置とを決定する印刷物測定装置。
【請求項２０】
請求項１９に記載の印刷物測定装置において、
前記画像データは、３つの色成分を有するものであり、
前記代表色決定手段は、前記インキキーに対応する区画毎に各画素を３つの色成分各々の階調で区分し、所定の区間に含まれる画素から代表色とその位置とを決定する印刷物測定装置。
【請求項２１】
請求項２０に記載の印刷物測定装置において、
前記各区画内の各画素の３つの色成分各々の階調によるヒストグラムを作成し、前記ヒストグラムの最大度数の区間に含まれる画素から代表色とその位置とを選択する印刷物測定装置。
【請求項２２】
請求項２０または請求項２１に記載の印刷物測定装置において、
前記区間に含まれる画素が集合した面積が最も大きな位置を代表色の位置として選択する印刷物測定装置。
【請求項２３】
請求項１８乃至請求項２３のいずれかに記載の印刷物測定装置において、
前記代表色を決定するための画像データは、製版時に使用された製版データ、あるいは、この製版データを加工した画像データ、もしくは、前記基準紙を撮影して得た画像データのいずれかである印刷物測定装置。
【請求項２４】
請求項１８乃至請求項２３のいずれかに記載の印刷物測定装置において、
画像データに基づいてほぼ無彩色に表現される色であるグレー制御色とその位置とを決定するグレー制御色決定手段をさらに備え、
前記演算手段は、前記基準紙の画像の前記代表色の位置における色のデータと前記印刷物の画像の前記代表色の位置における色のデータとの比較演算結果にあわせて、前記基準紙の画像の前記グレー制御色の位置における色のデータと前記印刷物の画像の前記グレー制御色の位置における色のデータとの比較演算結果も使用して、印刷機のインキ供給量を制御するための制御データを作成する印刷物測定装置。
【請求項２５】
請求項２４に記載の印刷物測定装置において、
前記代表色が前記３つの色成分のうちのいずれかを含まない場合には、前記基準紙の画像の前記グレー制御色の位置における色のデータと前記印刷物の画像の前記グレー制御色の位置における色のデータとの比較演算結果のみを使用する印刷物測定装置。
【請求項２６】
請求項２４に記載の印刷物測定装置において、
前記基準紙の画像の前記代表色の位置における色のデータと前記印刷物の画像の前記代表色の位置における色のデータとの比較演算結果と、前記基準紙の画像の前記グレー制御色の位置における色のデータと前記印刷物の画像の前記グレー制御色の位置における色のデータとの比較演算結果とを選択的に使用し、または、両者の比較演算結果を所定の割合で折衷して使用してインキ供給量を制御するための制御データを作成する印刷物測定装置。
【請求項２７】
製版時に使用された製版データ、または、この製版データに基づいて作成された画像データのいずれか一方と、実際に印刷が行われた印刷物の画像を撮影して得た画像データとを比較することにより、印刷機のインキ供給量を制御するための制御データを作成する印刷物測定装置であって、
実際に印刷が行われた印刷物の画像を撮影する撮影手段と、
前記製版時に使用された製版データ、または、この製版データに基づいて作成された画像データのいずれか一方に基づいて、印刷物の画像を特徴づける色である代表色とその位置とを決定する代表色決定手段と、
前記印刷物の画像を撮影して得た画像データの前記代表色の位置における色のデータと前記代表色とを比較演算して、印刷機のインキ供給量を制御するための制御データを作成する演算手段と、
を備えたことを特徴とする印刷物測定装置。
【請求項２８】
請求項２７に記載の印刷物測定装置において、
印刷機のインキつぼにおけるインキキーに対応する区画毎に前記代表色とその位置とを決定する印刷物測定装置。
【請求項２９】
請求項２８に記載の印刷物測定装置において、
前記製版時に使用された製版データ、または、この製版データに基づいて作成された画像データは３つの色成分を有するものであり、
前記代表色決定手段は、前記インキキーに対応する区画毎に各画素を３つの色成分各々の階調で区分し、所定の区間に含まれる画素から代表色とその位置とを決定する印刷物測定装置。
【請求項３０】
請求項２９に記載の印刷物測定装置において、
前記各区画内の各画素の３つの色成分各々の階調によるヒストグラムを作成し、前記ヒストグラムの最大度数の区間に含まれる画素から代表色とその位置とを選択する印刷物測定装置。
【請求項３１】
請求項２９または請求項３０に記載の印刷物測定装置において、
前記区間に含まれる画素が集合した面積が最も大きな位置を代表色の位置として選択する印刷物測定装置。
【請求項３２】
請求項２７乃至請求項３１のいずれかに記載の印刷物測定装置において、
前記製版時に使用された製版データ、または、この製版データに基づいて作成された画像データのいずれか一方に基づいて、ほぼ無彩色に表現される色であるグレー制御色とその位置とを決定するグレー制御色決定手段をさらに備え、
前記演算手段は、前記印刷物の画像を撮影して得た画像データの前記代表色の位置における色のデータと前記代表色との比較演算結果にあわせて、前記印刷物の画像を撮影して得た画像データの前記グレー制御色の位置における色のデータと前記グレー制御色との比較演算結果も使用して、印刷機のインキ供給量を制御するための制御データを作成する印刷物測定装置。
【請求項３３】
請求項３２に記載の印刷物測定装置において、
前記代表色が前記３つの色成分のうちのいずれかを含まない場合には、前記印刷物の画像を撮影して得た画像データの前記グレー制御色の位置における色のデータと前記グレー制御色との比較演算結果のみを使用する印刷物測定装置。
【請求項３４】
請求項３２に記載の印刷物測定装置において、
前記印刷物の画像を撮影して得た画像データの前記代表色の位置における色のデータと前記代表色との比較演算結果と、前記印刷物の画像を撮影して得た画像データの前記グレー制御色の位置における色のデータと前記グレー制御色との比較演算結果とを選択的に使用し、または、両者の比較演算結果を所定の割合で折衷して使用してインキ供給量を制御するための制御データを作成する印刷物測定装置。
【発明の詳細な説明】
【０００１】
【発明の属する技術分野】
この発明は印刷物測定方法および印刷物測定装置に関する。
【０００２】
【従来の技術】
印刷機において適正な印刷を実行するためには、インキの供給量を適正に制御する必要がある。このインキの供給量の制御時には、従来、コントロールストリップの濃度を濃度計により測定し、その濃度データに基づいてインキの過不足を判定するようにしている。しかしながら、コントロールストリップにおける濃度データのみでは、絵柄領域において必ずしも適正な色調等を得ることができるとは限らない。
【０００３】
このため、基準紙の画像と実際に印刷が行われた印刷物の画像とを比較することにより、印刷機のインキ供給量を制御するための制御データを作成する印刷物測定装置も使用されている。
【０００４】
ここで、基準紙とは、校正紙とも呼称され、印刷の仕上がりの色調を指示することにより適正な印刷物の基準となるものである。また、実際に印刷が行われた印刷紙とは、抜き取り紙とも呼称され、印刷の実行中に印刷機の排紙部から一定間隔でオペレータにより抜き取られるものである。そして、この抜き取り紙の色調等と基準紙の色調等とがほぼ一致していた場合には、適正な印刷が実行されていると判断される。
【０００５】
【発明が解決しようとする課題】
基準紙の画像と実際に印刷が行われた印刷物の画像とを比較することにより、印刷機のインキ供給量を制御するための制御データを作成する印刷物測定装置を使用した場合に、基準紙の画像と実際に印刷が行われた印刷物の画像とを、全ての領域において色調等が一致する状態とすることは困難である。このため、これらの画像のうちの一部の領域のみを比較することになるが、この領域の選定によっては、絵柄を特徴づける領域において適正な色調等が得られるとは限らない。
【０００６】
この発明は上記課題を解決するためになされたものであり、絵柄を特徴づける領域において適正な画像が得られ、これにより印刷機によって適正な印刷物を得ることができる印刷物測定装置および印刷物測定装置を提供することを目的とする。
【０００７】
【課題を解決するための手段】
請求項１に記載の発明は、基準紙の画像と実際に印刷が行われた印刷物の画像とを比較することにより、印刷機のインキ供給量を制御するための制御データを作成する印刷物測定方法であって、基準紙の画像と実際に印刷が行われた印刷物の画像とを撮影する撮影工程と、画像データに基づいて印刷物の画像を特徴づける色である代表色とその位置とを決定する代表色決定工程と、前記基準紙の画像の前記代表色の位置における色のデータと前記印刷物の画像の前記代表色の位置における色のデータとを比較演算して、印刷機のインキ供給量を制御するための制御データを作成する演算工程とを備えたことを特徴とする。
【０００８】
請求項２に記載の発明は、請求項１に記載の発明において、印刷機のインキつぼにおけるインキキーに対応する区画毎に前記代表色とその位置とを決定する。
【０００９】
請求項３に記載の発明は、請求項２に記載の発明において、前記画像データは、３つの色成分を有するものであり、前記代表色決定工程においては、前記インキキーに対応する区画毎に各画素を３つの色成分各々の階調で区分し、所定の区間に含まれる画素から代表色とその位置とを決定する。
【００１０】
請求項４に記載の発明は、請求項３に記載の発明において、前記各区画内の各画素の３つの色成分各々の階調によるヒストグラムを作成し、前記ヒストグラムの最大度数の区間に含まれる画素から代表色とその位置とを選択する。
【００１１】
請求項５に記載の発明は、請求項３または請求項４に記載の発明において、前記区間に含まれる画素が集合した面積が最も大きな位置を代表色の位置として選択する。
【００１２】
請求項６に記載の発明は、請求項１乃至請求項５のいずれかに記載の発明において、前記代表色を決定するための画像データは、製版時に使用された製版データ、あるいは、この製版データを加工した画像データ、もしくは、前記基準紙を撮影して得た画像データのいずれかである。
【００１３】
請求項７に記載の発明は、請求項１乃至請求項６のいずれかに記載の発明において、画像データに基づいてほぼ無彩色に表現される色であるグレー制御色とその位置とを決定するグレー制御色決定工程をさらに備え、前記演算工程では、前記基準紙の画像の前記代表色の位置における色のデータと前記印刷物の画像の前記代表色の位置における色のデータとの比較演算結果にあわせて、前記基準紙の画像の前記グレー制御色の位置における色のデータと前記印刷物の画像の前記グレー制御色の位置における色のデータとの比較演算結果も使用して、印刷機のインキ供給量を制御するための制御データを作成する。
【００１４】
請求項８に記載の発明は、請求項７に記載の発明において、前記代表色が前記３つの色成分のうちのいずれかを含まない場合には、前記基準紙の画像の前記グレー制御色の位置における色のデータと前記印刷物の画像の前記グレー制御色の位置における色のデータとの比較演算結果のみを使用する。
【００１５】
請求項９に記載の発明は、請求項７に記載の発明において、前記基準紙の画像の前記代表色の位置における色のデータと前記印刷物の画像の前記代表色の位置における色のデータとの比較演算結果と、前記基準紙の画像の前記グレー制御色の位置における色のデータと前記印刷物の画像の前記グレー制御色の位置における色のデータとの比較演算結果とを選択的に使用し、または、両者の比較演算結果を所定の割合で折衷して使用してインキ供給量を制御するための制御データを作成する。
【００１６】
請求項１０に記載の発明は、製版時に使用された製版データ、または、この製版データに基づいて作成された画像データのいずれか一方と、実際に印刷が行われた印刷物の画像を撮影して得た画像データとを比較することにより、印刷機のインキ供給量を制御するための制御データを作成する印刷物測定方法であって、実際に印刷が行われた印刷物の画像を撮影する撮影工程と、前記製版時に使用された製版データ、または、この製版データに基づいて作成された画像データのいずれか一方に基づいて、印刷物の画像を特徴づける色である代表色とその位置とを決定する代表色決定工程と、前記印刷物の画像を撮影して得た画像データの前記代表色の位置における色のデータと前記代表色とを比較演算して、印刷機のインキ供給量を制御するための制御データを作成する演算工程とを備えたことを特徴とする。
【００１７】
請求項１１に記載の発明は、請求項１０に記載の発明において、印刷機のインキつぼにおけるインキキーに対応する区画毎に前記代表色とその位置とを決定する。
【００１８】
請求項１２に記載の発明は、請求項１１に記載の発明において、前記製版時に使用された製版データ、または、この製版データに基づいて作成された画像データは３つの色成分を有するものであり、前記代表色決定工程においては、前記インキキーに対応する区画毎に各画素を３つの色成分各々の階調で区分し、所定の区間に含まれる画素から代表色とその位置とを決定する。
【００１９】
請求項１３に記載の発明は、請求項１２に記載の発明において、前記各区画内の各画素の３つの色成分各々の階調によるヒストグラムを作成し、前記ヒストグラムの最大度数の区間に含まれる画素から代表色とその位置とを選択する。
【００２０】
請求項１４に記載の発明は、請求項１２または請求項１３に記載の発明において、前記区間に含まれる画素が集合した面積が最も大きな位置を代表色の位置として選択する。
【００２１】
請求項１５に記載の発明は、請求項１０乃至請求項１４のいずれかに記載の発明において、前記製版時に使用された製版データ、または、この製版データに基づいて作成された画像データのいずれか一方に基づいて、ほぼ無彩色に表現される色であるグレー制御色とその位置とを決定するグレー制御色決定工程をさらに備え、前記演算工程においては、前記印刷物の画像を撮影して得た画像データの前記代表色の位置における色のデータと前記代表色との比較演算結果にあわせて、前記印刷物の画像を撮影して得た画像データの前記グレー制御色の位置における色のデータと前記グレー制御色との比較演算結果も使用して、印刷機のインキ供給量を制御するための制御データを作成する。
【００２２】
請求項１６に記載の発明は、請求項１５に記載の発明において、前記代表色が前記３つの色成分のうちのいずれかを含まない場合には、前記印刷物の画像を撮影して得た画像データの前記グレー制御色の位置における色のデータと前記グレー制御色との比較演算結果のみを使用する。
【００２３】
請求項１７に記載の発明は、請求項１５に記載の発明において、前記印刷物の画像を撮影して得た画像データの前記代表色の位置における色のデータと前記代表色との比較演算結果と、前記印刷物の画像を撮影して得た画像データの前記グレー制御色の位置における色のデータと前記グレー制御色との比較演算結果とを選択的に使用し、または、両者の比較演算結果を所定の割合で折衷して使用してインキ供給量を制御するための制御データを作成する。
【００２４】
請求項１８に記載の発明は、基準紙の画像と実際に印刷が行われた印刷物の画像とを比較することにより、印刷機のインキ供給量を制御するための制御データを作成する印刷物測定装置であって、基準紙の画像と実際に印刷が行われた印刷物の画像とを撮影する撮影手段と、画像データに基づいて印刷物の画像を特徴づける色である代表色とその位置とを決定する代表色決定手段と、前記基準紙の画像の前記代表色の位置における色のデータと前記印刷物の画像の前記代表色の位置における色のデータとを比較演算して、印刷機のインキ供給量を制御するための制御データを作成する演算手段とを備えたことを特徴とする。
【００２５】
請求項１９に記載の発明は、請求項１８に記載の発明において、印刷機のインキつぼにおけるインキキーに対応する区画毎に前記代表色とその位置とを決定する。
【００２６】
請求項２０に記載の発明は、請求項１９に記載の発明において、前記画像データは、３つの色成分を有するものであり、前記代表色決定手段は、前記インキキーに対応する区画毎に各画素を３つの色成分各々の階調で区分し、所定の区間に含まれる画素から代表色とその位置とを決定する。
【００２７】
請求項２１に記載の発明は、請求項２０に記載の発明において、前記各区画内の各画素の３つの色成分各々の階調によるヒストグラムを作成し、前記ヒストグラムの最大度数の区間に含まれる画素から代表色とその位置とを選択する。
【００２８】
請求項２２に記載の発明は、請求項２０または請求項２１に記載の発明において、前記区間に含まれる画素が集合した面積が最も大きな位置を代表色の位置として選択する。
【００２９】
請求項２３に記載の発明は、請求項１８乃至請求項２３のいずれかに記載の発明において、前記代表色を決定するための画像データは、製版時に使用された製版データ、あるいは、この製版データを加工した画像データ、もしくは、前記基準紙を撮影して得た画像データのいずれかである。
【００３０】
請求項２４に記載の発明は、請求項１８乃至請求項２３のいずれかに記載の発明において、画像データに基づいてほぼ無彩色に表現される色であるグレー制御色とその位置とを決定するグレー制御色決定手段をさらに備え、前記演算手段は、前記基準紙の画像の前記代表色の位置における色のデータと前記印刷物の画像の前記代表色の位置における色のデータとの比較演算結果にあわせて、前記基準紙の画像の前記グレー制御色の位置における色のデータと前記印刷物の画像の前記グレー制御色の位置における色のデータとの比較演算結果も使用して、印刷機のインキ供給量を制御するための制御データを作成する。
【００３１】
請求項２５に記載の発明は、請求項２４に記載の発明において、前記代表色が前記３つの色成分のうちのいずれかを含まない場合には、前記基準紙の画像の前記グレー制御色の位置における色のデータと前記印刷物の画像の前記グレー制御色の位置における色のデータとの比較演算結果のみを使用する。
【００３２】
請求項２６に記載の発明は、請求項２４に記載の発明において、前記基準紙の画像の前記代表色の位置における色のデータと前記印刷物の画像の前記代表色の位置における色のデータとの比較演算結果と、前記基準紙の画像の前記グレー制御色の位置における色のデータと前記印刷物の画像の前記グレー制御色の位置における色のデータとの比較演算結果とを選択的に使用し、または、両者の比較演算結果を所定の割合で折衷して使用してインキ供給量を制御するための制御データを作成する。
【００３３】
請求項２７に記載の発明は、製版時に使用された製版データ、または、この製版データに基づいて作成された画像データのいずれか一方と、実際に印刷が行われた印刷物の画像を撮影して得た画像データとを比較することにより、印刷機のインキ供給量を制御するための制御データを作成する印刷物測定装置であって、実際に印刷が行われた印刷物の画像を撮影する撮影手段と、前記製版時に使用された製版データ、または、この製版データに基づいて作成された画像データのいずれか一方に基づいて、印刷物の画像を特徴づける色である代表色とその位置とを決定する代表色決定手段と、前記印刷物の画像を撮影して得た画像データの前記代表色の位置における色のデータと前記代表色とを比較演算して、印刷機のインキ供給量を制御するための制御データを作成する演算手段とを備えたことを特徴とする。
【００３４】
請求項２８に記載の発明は、請求項２７に記載の発明において、印刷機のインキつぼにおけるインキキーに対応する区画毎に前記代表色とその位置とを決定する。
【００３５】
請求項２９に記載の発明は、請求項２８に記載の発明において、前記製版時に使用された製版データ、または、この製版データに基づいて作成された画像データは３つの色成分を有するものであり、前記代表色決定手段は、前記インキキーに対応する区画毎に各画素を３つの色成分各々の階調で区分し、所定の区間に含まれる画素から代表色とその位置とを決定する。
【００３６】
請求項３０に記載の発明は、請求項２９に記載の発明において、前記各区画内の各画素の３つの色成分各々の階調によるヒストグラムを作成し、前記ヒストグラムの最大度数の区間に含まれる画素から代表色とその位置とを選択する。
【００３７】
請求項３１に記載の発明は、請求項２９または請求項３０に記載の発明において、前記区間に含まれる画素が集合した面積が最も大きな位置を代表色の位置として選択する。
【００３８】
請求項３２に記載の発明は、請求項２７乃至請求項３１のいずれかに記載の発明において、前記製版時に使用された製版データ、または、この製版データに基づいて作成された画像データのいずれか一方に基づいて、ほぼ無彩色に表現される色であるグレー制御色とその位置とを決定するグレー制御色決定手段をさらに備え、前記演算手段は、前記印刷物の画像を撮影して得た画像データの前記代表色の位置における色のデータと前記代表色との比較演算結果にあわせて、前記印刷物の画像を撮影して得た画像データの前記グレー制御色の位置における色のデータと前記グレー制御色との比較演算結果も使用して、印刷機のインキ供給量を制御するための制御データを作成する。
【００３９】
請求項３３に記載の発明は、請求項３２に記載の発明において、前記代表色が前記３つの色成分のうちのいずれかを含まない場合には、前記印刷物の画像を撮影して得た画像データの前記グレー制御色の位置における色のデータと前記グレー制御色との比較演算結果のみを使用する。
【００４０】
請求項３４に記載の発明は、請求項３２に記載の発明において、前記印刷物の画像を撮影して得た画像データの前記代表色の位置における色のデータと前記代表色との比較演算結果と、前記印刷物の画像を撮影して得た画像データの前記グレー制御色の位置における色のデータと前記グレー制御色との比較演算結果とを選択的に使用し、または、両者の比較演算結果を所定の割合で折衷して使用してインキ供給量を制御するための制御データを作成する。
【００４１】
【発明の実施の形態】
以下、この発明の実施の形態を図面に基づいて説明する。図１はこの発明に係る印刷物測定装置の斜視図であり、図２はその側面図である。なお、図２においては、光源１３およびコントロールパネル１５の図示を省略している。
【００４２】
この印刷物測定装置は、架台１１の上方に配置されたテーブル１２と、テーブル１２の左右に配設された一対の光源１３と、テーブル１２の上方に配設された撮像手段１４と、一方の光源１３の上方に配置されたコントロールパネル１５と、一対の支柱１６により支持された上部遮光板１７および後部遮光板１８と、後部遮光板１８に付設された補助光源１９と、装置全体を制御するための架台１１の内部に配置された制御部２０とを備える。
【００４３】
テーブル１２は、印刷物を載置可能な平面状の形状を有する。このテーブル１２の表面は、静電気または真空吸着により印刷物を吸着保持可能な吸着プレートから構成されている。また、このテーブル１２の表面は、オペレータによる作業を容易とするため、１０度程度傾斜している。そして、傾斜したテーブル１２の表面に吸着保持された印刷物は、一対の光源１３によりその側方から照射される。
【００４４】
テーブル１２の上方に配設された撮像手段１４は、光源１３から照射され印刷物の表面で反射した反射光をダイクロイックミラーによりＲＧＢの三原色の色成分に分割し、それぞれを個別のＣＣＤアレイで受光するように構成されたデジタルカメラを有する。この撮像手段１４により、印刷物からＲＧＢのデータを得ることができる。
【００４５】
コントロールパネル１５は、感圧入力機能を有する液晶モニターからなるタッチパネル方式のものであり、表示手段と入力手段の両方の機能を備える。このコントロールパネル１５は、後述する制御部２０と接続されている。
【００４６】
図３は、制御部２０の主要な構成を示すブロック図である。
【００４７】
この制御部２０は、装置の制御に必要な動作プログラムが格納されたＲＯＭ２１と、制御時にデータ等が一時的にストアされるＲＡＭ２２と、論理演算を実行するＣＰＵ２３と、第１、第２の画像メモリ２４、２５とを備える。この制御部２０は、インターフェース２６を介して上述したコントロールパネル１５、光源１３および撮像手段１４と接続されている。また、この制御部２０は、印刷を行う画像のデータを格納したハードディスクや画像処理装置等の画像データ供給部２７とも接続されている。なお、この制御部２０は、この発明の代表色決定手段、グレー制御色決定手段および演算手段として機能する。
【００４８】
再度、図１および図２を参照して、一対の支柱１６の上方に支持された上部遮光板１７は、印刷物測定装置の前後方向に湾曲した形状を有する。この上部遮光板１７は、例えば、屋内に設置された照明からの光のように、テーブル１２に対して正反射するような光を遮断するために設置されている。一方、一対の支柱１６間に支持された後部遮光板１８は、印刷物測定装置後部からの光を遮光するためのものである。
【００４９】
後部遮光板１８に付設された補助光源１９は、上部遮光板１７および後部遮光板１８の作用により、テーブル１２上が暗くなることに対応するためのものである。この補助光源１９は蛍光灯等から構成され、撮像手段１４による印刷物の撮影時には、消灯するように構成されている。
【００５０】
以上のような構成を有する印刷物測定装置においては、最初に、画像データ供給部２７に格納された印刷を行う画像の画像データを使用して、後程詳細に説明する代表色決定工程等が実行される。
【００５１】
次に、基準紙の画像と実際に印刷が行われた画像とを撮影する撮影工程が実行される。すなわち、最初に基準紙がテーブル１２上に載置され、そこに吸着保持される。そして、光源１３により基準紙が照明され、撮像手段１４により基準紙の画像が撮影される。基準紙の画像のデータは、制御部２０における第１の画像メモリ２４に記憶される。次に、印刷の実行中に印刷機の排紙部からオペレータにより抜き取られた印刷物がテーブル１２上に載置され、そこに吸着保持される。そして、光源１３によりこの印刷物が照明され、撮像手段１４により印刷物の画像が撮影される。印刷物の画像のデータは、制御部２０における第２の画像メモリ２５に記憶される。
【００５２】
そして、後程詳細に説明する演算工程が実行されることにより、印刷機のインキ供給量を制御するための制御データが作成される。この制御データはインターフェース２６を介して、オンラインまたはオフラインで図示を省略した印刷機に転送される。
【００５３】
次に、上述した印刷物測定動作における各工程について説明する。図４は、印刷物測定動作を示すフローチャートである。
【００５４】
印刷機のインキ供給量を制御するための制御データを作成するために印刷物の測定を行う場合には、最初に、印刷を行うべき画像のデータに基づき、印刷物の画像を特徴づける色である代表色とその位置とを決定する（ステップＳ１）。この代表色決定工程は、図５に示すサブルーチンにより実行される。
【００５５】
最初に、画像データ供給部２７から印刷を行うべき画像の画像データを取り込む（ステップＳ１１）。この画像データは、製版を実行するときに得られる印刷を行う画像のＣＭＹＫ（シアン、マゼンタ、イエロー、ブラック）の製版データ、または、この製版データに基づいて作成された画像データである。この画像データは、例えば、ＣＩＰ３（ｉｎｔｅｒｎａｔｉｏｎａｌ　Ｃｏｏｐｅｒａｔｉｏｎ　ｆｏｒ　Ｉｎｔｅｇｒａｔｉｏｎ　ｏｆ　Ｐｒｅｐｒｅｓｓ、Ｐｒｅｓｓａｎｄ　Ｐｏｓｔｐｒｅｓｓ）規格におけるＰＰＦ（Ｐｒｉｎｔ　Ｐｒｏｄｕｃｔｉｏｎ　Ｆｏｒｍａｔ）データとして供給される。なお、この明細書においては、ブラックを、適宜ＫおよびＢｋと呼称する。
【００５６】
次に、このＰＰＦデータ（ＣＭＹＫデータ）をＲＧＢの階調を持つデータに変換する（ステップＳ１２）。ここで、ＣＭＹＫのデータが０〜２５５の８ｂｉｔの値を有することを前提とした場合、この変換は下記の式（１）〜式（３）により実行される。なお、ＲＧＢの値が負となった場合には、０と判断する。
【００５７】
Ｒ＝２５５−（Ｃ＋Ｋ）　・・・（１）
【００５８】
Ｇ＝２５５−（Ｍ＋Ｋ）　・・・（２）
【００５９】
Ｂ＝２５５−（Ｙ＋Ｋ）　・・・（３）
【００６０】
次に、ＲＧＢの画像からエッジ成分を抽出して除去する（ステップＳ１３）。すなわち、注目画素とこの注目画素に隣接する上下左右の画素の差（絶対値）の和であるエッジ量が一定値より大きくなった場合、この注目画素をエッジ画素と判断する。そして、このエッジ画素については、これ以降の処理対象から除外する。
【００６１】
そして、ＲＧＢの画像を、印刷機のインキつぼにおけるインキキーに対応する区画に分割する（ステップＳ１４）。これ以降の工程（ステップＳ１５以降の工程）においては、各処理は分割後の各区画毎に実行される。
【００６２】
先ず、Ｂｋ（ブラック）のインキの寄与が大きい画素を抽出して除去する（ステップＳ１５）。すなわち、ＲＧＢに変換する前のＣＭＹＫのデータのうち、ＣＭＹの最小値がＫの値より小さい画素については、Ｂｋの寄与が大きい画素と判断し、この画素についてはこれ以降の処理対象から除外する。
【００６３】
次に、残った画素のＲＧＢの値により、３次元のヒストグラムを作成する（ステップＳ１６）。すなわち、３次元の領域をＲＧＢの各色成分毎に適宜の範囲で分割し、一辺が所定の階調の範囲を含む立方体に等分した後、各区間の度数分布を求める。この３次元のヒストグラムを作成する工程については、本出願人による特開平１１−２９６６７２号公報にも詳細に記載されている。
【００６４】
なお、この実施形態においては、ＲＧＢ値によりヒストグラムを作成しているが、ＣＭＹ値等、他の表色系の３成分により度数分布を作成するようにしてもよい。
【００６５】
次に、ヒストグラムの区間が表す色によって、度数に適宜の係数をかけることにより重み付けを行う（ステップＳ１７）。例えば、絵柄の中で肌色を優先して代表色としたい場合には、その色域に大きな係数を乗算する。そして、係数を乗算した後の最大度数の区間を代表色となる色域として、以下、当該区間に含まれる画素のみに注目する。
【００６６】
なお、上述した説明では、ヒストグラムを作成して代表色となる色域を決定しているが、オペレータが前記最大度数の区間に代えて所定の色域を指定するようにしてもよい。この場合には、上述した度数の計算は不要となる。
【００６７】
次に、係数乗算後の最大度数の区間に含まれる画素に対して孤立点除去を行う（ステップＳ１８）。すなわち、係数の乗算後の最大度数の区間に含まれる画素による領域の最も外側の画素を孤立点として除去する動作を、全ての領域の画素数の合計が１または０となるまで繰り返す（ステップＳ１９）。
【００６８】
そして、残存する画素数が１となった場合には、その画素のＣＭＹＫ値を代表色とし、その画素の位置を代表色の位置とする。一方、残存するが素数が０となった場合には、その直前まで残存していた画素のいずれか、例えば、インキキーに対応する区画の中央に近い画素のＣＭＹＫ値を代表色とし、その画素の位置を代表色の位置とする。これにより、代表色とその位置とが決定される（ステップＳ２０）。
【００６９】
なお、上述した孤立点除去により最大度数の区間に含まれる画素が集合した面積（一続きの画素群の面積）が最も大きな位置を代表色の位置として選択するのは、撮像手段１４がもつノイズによる誤差の影響を防止するとともに、後述する基準紙の画像の代表色の位置における色のデータと印刷物の画像の代表色の位置における色のデータとを比較演算するときの位置合わせ誤差の影響を防止するためである。
【００７０】
上述して実施形態では、孤立点除去後に残った１画素を代表色に対応する画素とし、その画素のＣＭＹＫ値を代表色としているが、その画素を含む隣接何画素分かのＣＭＹＫ値を平均または加重平均して代表色としてもよい。このような構成を採用した場合には、画素に含まれるノイズの影響を緩和することが可能となる。
【００７１】
再度図４を参照して、次に、ほぼ無彩色に表現される色であるグレー制御色とその位置とを決定する（ステップＳ２）。
【００７２】
このグレー制御色決定工程は、図５に示す代表色決定工程と同様のフローに基づいて実行される。但し、このグレー制御色決定工程においては、図５のステップＳ１７において、グレーに対応するヒストグラムの区間に１以上の係数を乗算し、これによりステップＳ１８においてグレー部分が優先して選択されるようにする。もちろん、所定の色域を直接グレー制御色となる区間として指定してもよい。なお、選択されたグレーの領域が一定以上の面積を有さない場合、すなわち、ステップＳ１９における繰り返し回数が一定以下の場合には、インキキーに対応する区画内に所定以上のグレーの面積がないものとし、グレー制御色の決定は行わない。
【００７３】
次に、ブラックに表現される色であるＢｋ制御色とその位置とを決定する（ステップＳ３）。
【００７４】
このＢｋ制御色決定工程は、図５に示す代表色決定工程と同様のフローに基づいて実行される。但し、このＢｋ制御色決定工程においては、図５のステップＳ１５において、Ｂｋ（ブラック）のインキの寄与が小さい画素を抽出して除去する。すなわち、ＣＭＹＫのデータのうち、ＣＭＹの最大値がＫの値より大きい画素については、Ｂｋの寄与が小さい画素と判断し、この画素についてはこれ以降の処理対象から除外する。また、Ｂｋの領域が一定以上の面積を有さない場合、すなわち、ステップＳ１９における繰り返し回数が一定以下の場合には、インキキーに対応する区画内に所定以上のＢｋの面積がないものとし、Ｂｋ制御色の決定は行わない。
【００７５】
図６は、上述した代表色、グレー制御色およびＢｋ制御色の位置を示す説明図である。ここで、図６（ａ）に示すＤ１〜Ｄ７は上述した代表色決定工程（ステップＳ１）で決定した代表色の位置を、また、図６（ｂ）に示すＧ１〜Ｇ７は上述したグレー制御色決定工程（ステップＳ２）で決定したグレー制御色の位置を、さらに、図６（ｃ）に示すＢ２およびＢ６は上述したＢｋ色決定工程（ステップＳ３）で得たＢｋ制御色の位置を示している。
【００７６】
これらの代表色、グレー制御色およびＢｋ制御色の位置は、印刷すべき画像とともに、図１に示すコントロールパネル１５に表示される。オペレータは、コントロールパネル１５に表示されたグレー制御色およびＢｋ制御色の位置を確認し、必要に応じ、図６（ｄ）に示すように、代表色の位置等を変更してもよい。
【００７７】
なお、図６に示す実施形態では、画像の領域を印刷機のインキつぼにおけるインキキーに対応させて７個の区画に分割した場合を示している。また、この実施形態においては、Ｂｋ制御点が右から２番目と左から２番目の領域にのみ存在する場合を示している。
【００７８】
再度図４を参照して、次に基準紙の画像と実際に印刷が行われた印刷物の画像とを撮影する（ステップＳ４、ステップＳ５）。
【００７９】
すなわち、図７に示すように、最初に、基準紙Ｓ１の画像を撮像手段１４により撮影する。そして、このときの代表色のＲＧＢ値や位置、グレー制御色のＲＧＢ値や位置およびＢｋ制御色のＲＧＢ値や位置を、図３に示す第１の画像メモリ２４に記憶する。このとき、図７に示すように、画像データから得た画像１００と撮像手段１４により撮影した画像１０１とは、画素数、解像度および余白部分等が異なることから、代表色のＲＧＢ値や位置、グレー制御色のＲＧＢ値や位置およびＢｋ制御色のＲＧＢ値や位置を正確に取り出すためには、両画像の対応付けが必要となる。この場合には、画像をコントロールパネル１５に表示してオペレータがマニュアルで作業してもよく、また、パターンマッチング等を実行してもよい。このとき、パターンマッチングの手法例は、本出願人による特願２００２−２０５１１７に開示されている。
【００８０】
次に、図７に示すように、実際に印刷が行われた印刷物Ｓ２の画像を撮像手段１４により撮影する。そして、上述した基準紙の場合と同様に、前記ＰＰＦデータにより求めた代表色、グレー制御色、Ｂｋ制御色の位置に対応した位置を求め、このときの代表色のＲＧＢ値とその位置、グレー制御色のＲＧＢ値とその位置およびＢｋ制御色のＲＧＢ値とその位置を、図３に示す第２の画像メモリ２５に記憶する。この場合においても、図７に示すように、画像データから得た画像１００と撮像手段１４により撮影した画像１０２とは、画素数、解像度および余白部分等が異なる。このため、画像をコントロールパネル１５に表示してオペレータがマニュアルで作業してもよく、また、パターンマッチング等を実行してもよい。
【００８１】
再度図４を参照して、基準紙の画像と実際に印刷が行われた印刷物の画像とを撮影した後、基準紙の画像と実際に印刷が行われた印刷物の画像とを撮影して得たデータを比較演算して、印刷機のインキ供給量を制御するための制御データを作成する（ステップＳ６）。この演算工程は、図８に示すサブルーチンにより実行される。
【００８２】
上述した基準紙の画像と実際に印刷が行われた印刷物の画像との撮影工程（ステップＳ４、ステップＳ５）により、第１の画像メモリ２４内には図９（ａ）にその一部を示すような基準紙のデータが記憶されており、第２の画像メモリ２５内には図９（ｂ）にその一部を示すような印刷物のデータが記憶されている。なお、図６（ｃ）に示すように、１番目の区画においてはＢｋ制御色は選択されていないことから、対応する欄にはデータはない。
【００８３】
ここで、図９（ａ）および図９（ｂ）に示すＣＭＹＫ値は、図５に示す画像データ取り込み工程（ステップＳ１１）で取り込まれたＰＰＦデータであり、基準紙と印刷物とに共通するデータである。一方、ＲＧＢ値は基準紙の画像と実際に印刷が行われた印刷物の画像とを撮影して得たデータであり、これら２つのＲＧＢ値に一定以上の差があった場合には、適切な印刷が行われていないことになる。
【００８４】
このため、最初に、代表色、グレー制御色およびＢｋ制御色の各々について、濃度差を演算する（ステップＳ６１）。なお、この演算を行うに先立ち、図９に示すＲＧＢ値をＣＭＹＫ値に変換しておく。色を表すＲＧＢ値より、インキの増減に結びつく指標であるＣＭＹＫ値の方が、インキ供給量のコントロールを実行するのにより適当であるためである。
【００８５】
次に、演算されたＣＭＹＫの濃度差に対して、網点面積率に応じた係数を乗算する（ステップＳ６２）。すなわち、網点面積率が大きい領域では網点面積率が小さい領域より、より大きな濃度差が生ずることから、演算された濃度差の情報を網点面積率にかかわらず正確なものとするために係数を乗算する。このときの網点面積率は、図９に示すＣＭＹＫ値を利用して演算する。但し、図９に示すＲＧＢ値を利用して演算してもよい。
【００８６】
上述した係数の乗算を行うことにより、インキ供給量を制御するための制御データが作成される。このとき、ブラックのインキの供給量を制御するための制御データは、Ｂｋ制御色の濃度差にＫ値に応じた係数を乗算することにより得ることができる。一方、ＣＭＹの各々のインキの供給量を制御するための制御データは、代表色の濃度差にＣＭＹ値に応じた係数を乗算した値と、グレー制御色の濃度差にＣＭＹ値に応じた係数を乗算した値とのいずれか一方、または、両方を使用して作成される（ステップＳ６３）。
【００８７】
すなわち、代表色がＣＭＹのうちのいずれかを含まない場合には、その色について、あるいは、ＣＭＹの全てについて、グレー制御色の濃度差にＣＭＹ値に応じた係数を乗算した値のみを使用する。それ以外の場合には、代表色の濃度差にＣＭＹ値に応じた係数を乗算した値のみを使用してもよく、また、代表色の濃度差にＣＭＹ値に応じた係数を乗算した値と、グレー制御色の濃度差にＣＭＹ値に応じた係数を乗算した値との両方を所定の割合で折衷して使用してもよい。
【００８８】
以上の工程によりＣＭＹのインキの供給量を制御するための制御データとＫのインキの供給量を制御するための制御データが得られれば、これらのデータを印刷機の制御部へ転送して（ステップＳ６４）、処理を終了する。
【００８９】
なお、上述した実施形態においては、印刷機のインキつぼにおけるインキキーに対応する区画毎に代表色等を決定しているが、画像全体の代表色等を最初に決定し、それに近い色を優先して各区画毎に代表色等を決定するようにしてもよい。
【００９０】
また、上述した実施形態においては、製版データや製版データに基づく画像データ（ＰＰＦデータ等）を用いて代表色およびその位置を決定するようにしているが、基準紙を撮影して得た画像データに基づいて代表色およびその位置を決定するようにしてもよい。このような構成を採用した場合には、例えば製版作業がデジタル化されていない場合のように、ＰＰＦデータ等の画像データがない場合においても、この発明を実施することが可能となる。
【００９１】
【発明の効果】
請求項１乃至請求項３４に記載の発明によれば、絵柄を特徴づける領域において適正な画像を得ることができ、これにより印刷機によって適正な印刷物を得ることが可能となる。
【００９２】
請求項５、請求項１４、請求項２２および請求項３１に記載の発明によれば、撮像手段がもつノイズによる誤差の影響を防止するとともに、基準紙の画像の色のデータと印刷物の画像の色のデータとを比較演算するときの位置合わせ誤差の影響を防止することが可能となる。
【００９３】
請求項８、請求項１６、請求項２５および請求項３３に記載の発明によれば、代表色が前記３つの色成分のうちのいずれかを含まない場合においても、その色成分に関しグレー制御色を利用して印刷機のインキ供給量を制御するための制御データを得ることができる。
【図面の簡単な説明】
【図１】この発明に係る印刷物測定装置の斜視図である。
【図２】この発明に係る印刷物測定装置の側面図である。
【図３】制御部２０の主要な構成を示すブロック図である。
【図４】印刷物測定動作を示すフローチャートである。
【図５】代表色決定工程を示すフローチャートである。
【図６】代表色、グレー制御色およびＢｋ制御色の位置を示す説明図である。
【図７】撮影工程を模式的に示す説明図である。
【図８】演算行程を示すフローチャートである。
【図９】第１，第２の画像メモリに記憶されたデータを示す図である。
【符号の説明】
１２　　　テーブル
１３　　　光源
１４　　　撮像手段
１５　　　コントロールパネル
２０　　　制御部
２３　　　ＣＰＵ
２４　　　第１の画像メモリ
２５　　　第２の画像メモリ
２７　　　画像データ供給部
【図１】
2004050609.tif 000003
【図２】
2004050609.tif 000004
【図３】
2004050609.tif 000005
【図４】
2004050609.tif 000006
【図５】
2004050609.tif 000007
【図６】
2004050609.tif 000008
【図７】
2004050609.tif 000009
【図８】
2004050609.tif 000010
【図９】
2004050609.tif 000011